(57)【要約】【課題】視聴したい番組の見逃しを防ぐことのできるテレビジョン装置を提供すること。【解決手段】本発明のテレビジョン装置は、テレビジョン放送信号を受信するチューナと、テレビジョン画像を表示する画像表示手段と、制御基板とを備えるとともに、録画装置が接続され、制御基板は、所望の日時に所望のテレビジョン番組を画像表示手段に表示させるための時間情報およびチャンネル情報を含む視聴予約情報を設定する番組予約設定部７１５と、テレビジョン装置の電源オフ信号を検出する入力信号検出部７１１と、電源オフ信号が検出されると、番組予約設定部７１５により設定された視聴予約情報をキャンセルするか、および、自動電源オン予約に変更するか、録画予約情報に変更するかの選択を促す視聴予約変更部７１７とを備えている。【選択図】図３
2007027850.tif 000002
【特許請求の範囲】
【請求項１】
テレビジョン放送信号を受信する受信手段と、当該受信手段により受信されたテレビジョン放送信号に基づくテレビジョン番組を表示する画像表示手段と、これらを含む装置本体の駆動制御を行う制御手段とを備え、前記受信手段により受信されたテレビジョン放送信号を録画する録画装置が接続されたテレビジョン装置であって、
前記制御手段は、
所望の日時に所望の番組を前記画像表示手段に表示させるための時間情報およびチャンネル情報を含む視聴予約情報を設定する視聴予約設定部と、
当該テレビジョン装置の電源オフ動作を検出する電源オフ検出部と、
当該電源オフ検出部により電源オフ動作が検出されると、
前記視聴予約設定部により設定された視聴予約情報をキャンセルするか、自動電源オン予約に変更するか、および、録画予約情報に変更するかの選択を促す視聴予約変更部とを備えていることを特徴とするテレビジョン装置。
【請求項２】
請求項１に記載のテレビジョン装置において、
前記制御手段は、
電子番組表を受信する電子番組表受信手段と、
前記視聴予約設定部により設定された視聴予約情報が記録される視聴予約情報記録領域とを備え、
前記視聴予約設定部は、
前記電子番組表受信手段により受信された電子番組表を前記画像表示手段に表示するとともに、視聴予約する番組の選択を促す視聴予約番組選択部と、
当該視聴予約番組選択部により選択された番組の視聴予約情報を、前記電子番組表から取得して、前記視聴予約情報記録領域に記録する視聴予約情報記録部とを備えていることを特徴とするテレビジョン装置。
【発明の詳細な説明】
【技術分野】
【０００１】
本発明は、テレビジョン装置に関する。
【背景技術】
【０００２】
近年、視聴予約機能を備えたテレビジョン装置が普及している。視聴予約機能とは、ユーザが、所望する時間およびチャンネルをテレビジョン装置に予め予約しておくと、予約しておいた時間に、表示されるテレビジョン画像のチャンネルが、予約しておいたチャンネルに自動的に切替えられる機能である。このような視聴予約機能は、ユーザが視聴したい番組等を見逃さないようにするためには大変便利である。
【０００３】
しかし、このような視聴予約機能は、予約された時間にテレビジョン装置の電源が入っていなければ作動されない。従って、ユーザが、視聴予約が入っていることを失念してテレビジョン装置の電源をＯＦＦしてしまった場合、ユーザは、視聴予約しておいた番組を見逃してしまうことになる。
【０００４】
これに対し、視聴予約された時間が近づくと、ユーザの携帯電話等の通信機器に、視聴予約時間間近の通知を送信する受信装置が提案されている（例えば、特許文献１参照）。特許文献１に記載の受信装置は、視聴予約の設定とともに通信先の携帯電話番号が設定されることで、視聴予約の時間が近づくと、設定された携帯電話番号にダイアルして、視聴予約された番組の番組情報をメールなどで送信するものである。
【０００５】
【特許文献１】特開２０００−６９３８８号公報
【発明の開示】
【発明が解決しようとする課題】
【０００６】
しかしながら、特許文献１に記載の受信装置を用いると、視聴予約の時間が近づく度に、ユーザの携帯電話がメールを着信する。設定された視聴予約の数が多い場合、携帯電話に何度もメールが着信されることになり、ユーザにとって煩わしい。
さらに、特許文献１に記載の受信装置が、視聴予約時間間近のメールを送信しても、ユーザが外出等をしていた場合、ユーザは、視聴予約しておいた番組を結局見逃してしまうことになる。
【０００７】
本発明の目的は、視聴したい番組の見逃しを防ぐことのできるテレビジョン装置を提供することである。
【課題を解決するための手段】
【０００８】
前記した目的を達するために、本発明のテレビジョン装置は、テレビジョン放送信号を受信する受信手段と、当該受信手段により受信されたテレビジョン放送信号に基づくテレビジョン番組を表示する画像表示手段と、これらを含む装置本体の駆動制御を行う制御手段とを備え、前記受信手段により受信されたテレビジョン放送信号を録画する録画装置が接続されたテレビジョン装置であって、前記制御手段は、所望の日時に所望の番組を前記画像表示手段に表示させるための時間情報およびチャンネル情報を含む視聴予約情報を設定する視聴予約設定部と、当該テレビジョン装置の電源オフ動作を検出する電源オフ検出部と、当該電源オフ検出部により電源オフ動作が検出されると、前記視聴予約設定部により設定された視聴予約情報をキャンセルするか、自動電源オン予約に変更するか、および、録画予約情報に変更するかの選択を促す視聴予約変更部とを備えていることを特徴とする。
【０００９】
本発明によれば、テレビジョン装置の電源オフ時に、視聴予約変更部が、視聴予約設定部により予め設定されていた視聴予約情報を、キャンセルするか、自動電源オン予約に変更するか、または、録画予約に変更するかの選択をユーザに促す。
すなわち、ユーザが、視聴予約情報を設定していた事を失念してテレビジョン装置の電源を落とそうとしても、視聴予約情報の設定をユーザに気づかせることができる。さらに、視聴予約情報の変更先の選択をユーザに促すことによって、視聴予約されていた番組（視聴予約番組）の視聴方法を、ユーザの希望に合わせることができる。例えば、ユーザが、視聴予約番組をリアルタイムで視聴できない場合、視聴予約変更部により視聴予約情報を録画予約情報に変更させることで、視聴予約番組が録画装置によって録画される。さらに、例えば、視聴予約変更部により視聴予約情報を自動電源オン情報に変更させることで、予約番組の放送時刻に、自動的にテレビジョン装置の電源が投入され、予約番組のチャンネルに選局される。すなわち、予約番組が自動的に画面表示される。
従って、ユーザは、視聴予約番組を見逃さずに済むことができる。
【００１０】
さらに、本発明によれば、複数の視聴予約情報が設定されている場合でも、視聴予約情報の設定を携帯電話等の情報通信でユーザに知らせるのではなく、テレビジョン装置の電源オフ時にまとめて知らせることができるので、ユーザの手間を低減させることができる。
【００１１】
本発明では、前記制御手段は、電子番組表を受信する電子番組表受信手段と、前記視聴予約設定部により設定された視聴予約情報が記録される視聴予約情報記録領域とを備え、前記視聴予約設定部は、前記電子番組表受信手段により受信された電子番組表を前記画像表示手段に表示するとともに、視聴予約する番組の選択を促す視聴予約番組選択部と、当該視聴予約番組選択部により選択された番組の視聴予約情報を、前記電子番組表から取得して、前記視聴予約情報記録領域に記録する視聴予約情報記録部とを備えていることが好ましい。
【００１２】
ここで、電子番組表として、例えば、テレビジョン放送信号とともに搬送されるＥＰＧ（Electronic Program Guide）情報が挙げられる。電子番組表には、各番組の時間情報およびチャンネル情報等の番組情報が記録されている。
本発明によれば、電子番組表受信手段により受信された電子番組表を用いて、視聴予約番組の選択および設定が行われる。すなわち、視聴予約番組選択部は、電子番組表を画像表示手段に表示させ、ユーザに対し番組の選択を促す。そして、ユーザにより番組が選択されると、視聴予約情報記録部は、ユーザにより選択された番組の時間情報およびチャンネル情報を電子番組表から取得し、視聴予約情報として視聴予約情報記録領域に記録する。
このことから、視聴予約情報に含まれる時間情報およびチャンネル情報を、ユーザが手入力する必要がない。従って、視聴予約設定時のユーザの手間を低減させるとともに、視聴予約情報の設定ミス等を防ぐことができる。
【発明を実施するための最良の形態】
【００１３】
本発明の一実施形態を、図１〜図７を用いて説明する。
〔１．テレビジョン装置１の構成〕
〔1-1．テレビジョン装置１の概略構成〕
図１は、本実施形態のテレビジョン装置１および録画装置４を示す概略正面図である。
本実施形態のテレビジョン装置１は、図１に示すように、装置本体２と、この装置本体２を遠隔操作するリモートコントローラ３とを備えている。
装置本体２の筐体正面には、テレビジョン画像が表示されるディスプレイ２１が設けられている。
【００１４】
リモートコントローラ３は、複数の操作キーを備え、ユーザにより操作キーが押下されると、当該入力キーに応じた操作信号を赤外線により装置本体２に送信する。操作信号として、例えば、動作中の装置本体２の電源を落とすための電源オフ信号、後述するテレビ番組表を表示させるためのテレビ番組表表示信号等が挙げられる。
なお、リモートコントローラ３は、赤外線によって操作信号を送信するとしたが、電波によって操作信号を送信するように構成してもよい。
録画装置４は、装置本体２に電気的に接続されており、装置本体２から出力されるテレビジョン信号を記録媒体に記録する。録画装置４として、例えばＤＶＤ（Digital Versatile Disc）レコーダや、ＶＨＳ（Video Home System）レコーダ等が挙げられる。
【００１５】
〔1-2．装置本体２の内部構成〕
図２は、装置本体２の内部構成を示すブロック図である。
装置本体２は、アンテナ１１を介して受信されるテレビジョン放送信号から画像情報および音声情報を取得し、当該画像情報に応じたテレビジョン画像を形成、表示するとともに、当該音声情報に応じた音声を出力する。また、装置本体２は、テレビジョン放送信号とともに搬送されるＥＰＧ（Electronic Program Guide）情報を受信する。なお、ＥＰＧ情報は、本発明の電子番組表に相当する
装置本体２は、図２に示すように、画像表示手段５と、電源回路６と、制御手段としての制御基板７とを備えている。
画像表示手段５は、制御基板７から出力された画像信号に応じた表示画像を、ディスプレイ２１上に表示画面として表示するものである。
電源回路６は、後述する電源回路駆動部７７から出力される信号に応じて、電源ケーブル（図示省略）を通して外部から供給された電力を、画像表示手段５および制御基板７等に供給するものである。
【００１６】
〔1-3．制御基板７の構成〕
制御基板７は、装置本体２を制御する回路基板として構成されている。制御基板７は、図２に示すように、ＣＰＵ（Central Processing Unit）７１と、メモリ７２と、チューナ７３と、デマルチプレクサ７４と、画像情報処理部７５と、ＥＰＧ情報処理部７６と、電源回路駆動部７７と、信号インターフェイス（信号Ｉ／Ｆ）７８と、録画用信号インターフェイス（録画用信号Ｉ／Ｆ）７９とを備えている。
【００１７】
このうち、チューナ７３は、アンテナ１１を介して受信されるテレビジョン放送信号のうち、ユーザが選択したチャンネルに応じた周波数のテレビジョン放送信号を選択して受信し、一定周波数の信号に変換してデマルチプレクサ７４に出力する。チューナ７３は、本発明の受信手段および電子番組表受信手段に相当する。
なお、ＣＰＵ５１から選局命令が出力されると、チューナ７３は、選局命令が示すチャンネルを選択して受信する。さらに、ＣＰＵ５１から録画命令が出力されると、チューナ７３は、受信されたテレビジョン放送信号を、録画用信号Ｉ／Ｆ７９に出力する。
【００１８】
デマルチプレクサ７４は、チューナ７３により変換された信号から、画像情報、音声情報、および、ＥＰＧ情報を分離、抽出する。これらのうち、画像情報は、画像情報処理部７５に出力され、ＥＰＧ情報は、ＥＰＧ情報処理部７６に出力される。また、音声情報は、図示を省略するが、音声情報処理部で処理され、スピーカを介して当該音声情報に応じた音声として出力される。
【００１９】
画像情報処理部７５は、デマルチプレクサ７４から出力された画像情報に対して、画像処理および描画処理を行う。画像情報処理部７５は、画像処理部７５１と、描画処理部７５２と、バッファ７５３と、画像出力部７５４とを備えている。
画像処理部７５１は、デマルチプレクサ７４から出力された画像情報を、画像表示手段５の仕様に適応する１フレーム毎の画像情報に変換して描画処理部７５２に出力する。
描画処理部７５２は、画像処理部７５１から出力された画像情報に対し、ＣＰＵ７１から出力される制御命令に応じて、画像サイズの調整や表示位置の調整、ディスプレイ上に表示される表示画面の形成等を行い、バッファ７５３に１フレームの表示画像として出力する。
画像出力部７５４は、バッファ７５３内に格納された表示画像を読取り、画像信号として画像表示手段５に出力する。
【００２０】
ＥＰＧ情報処理部７６は、デマルチプレクサ７４から出力されたＥＰＧ情報を処理して、メモリ７２のＥＰＧ情報記録領域（図示省略）に記録する。本実施形態では、ＥＰＧ情報には、テレビジョン放送信号により放送されるテレビ番組の番組情報（放送日、放送時間、チャンネル、タイトル、番組内容、出演者等）が含まれている。ＥＰＧ情報処理部７６は、取得したＥＰＧ情報をテーブル様に処理して記録する。
なお、ＥＰＧ情報処理部７６は、定期的に新しいＥＰＧ情報を取得し、取得されたＥＰＧ情報に基づいて、ＥＰＧ情報記録領域に記録されている前回のＥＰＧ情報を更新する。すなわち、メモリ７２のＥＰＧ情報記録領域には、最新のＥＰＧ情報が記録されていることとなる。
【００２１】
電源回路駆動部７７は、ＣＰＵ７１から出力される制御命令に従って、電源回路６を駆動させるための信号を電源回路６に出力する。例えば、ＣＰＵ７１から電源オン／オフ命令が出力されると、電源回路駆動部７７は、電源回路６を駆動させて、テレビジョン装置１の電源を点灯／消灯する。
信号Ｉ／Ｆ７８は、リモートコントローラ３から送信された赤外線の操作信号を受信し、デジタル形式の電気信号に変換してＣＰＵ７１に出力する。
録画用信号Ｉ／Ｆ７９は、チューナ７３から出力されたテレビジョン放送信号を、ＩＥＥＥ１９３４（Institute of Electrical and Electronic Engineers 1394）バスＢ１を介して、録画装置４に出力する。
【００２２】
メモリ７２には、ＣＰＵ７１によって処理されるプログラムや各種データが格納される。メモリ７２は、プログラム記録領域（図示省略）と、ＥＰＧ情報記録領域（図示省略）と、視聴予約情報記録領域としての予約情報記録領域７２１とを備えている。
このうち、プログラム記録領域には、テレビジョン装置制御プログラム、番組予約設定プログラム、および、視聴予約変更プログラム等が格納される。さらに、ＥＰＧ情報記録領域には、ＥＰＧ情報処理部７６により処理されたＥＰＧ情報が格納される。予約情報記録領域７２１には、後述するＣＰＵ７１により処理された予約情報が記録される。
【００２３】
〔1-4.ＣＰＵの機能的構成〕
図３は、ＣＰＵ７１の機能的構成を示すブロック図である。
ＣＰＵ７１は、制御基板７全体の駆動を制御するものであり、メモリ７２からテレビジョン装置制御プログラムを読み込んで実行し、制御基板７を構成する各処理部７３〜７７に制御命令を出力する。さらに、ＣＰＵ７１は、必要に応じて、番組予約設定プログラムに基づく番組予約設定処理、および、視聴予約変更プログラムに基づく視聴予約変更処理を実行する。
ＣＰＵ７１は、入力信号検出部７１１と、タイマ７１２と、番組予約設定処理および視聴予約変更処理を実行する予約情報処理部７１３とを備えている。
【００２４】
入力信号検出部７１１は、リモートコントローラ３から信号Ｉ／Ｆ７８を介して入力される操作信号や、制御基板７上の各処理部７３〜７７から出力される信号を検出する。例えば、入力信号検出部７１１は、リモートコントローラ３から出力される操作信号としての電源オフ信号を検出する。すなわち、入力信号検出部７１１は、本発明の電源オフ検出部に相当する。
タイマ７１２は、現在の日時、すなわち、現在の年、月、日および時刻を計時している。
予約情報処理部７１３は、視聴予約、録画予約および自動電源オン予約等の番組予約の設定、および、設定された番組予約の実行や変更を行う。予約情報処理部７１３は、テレビ番組表画面表示部７１４と、番組予約設定部７１５と、番組予約実行部７１６と、視聴予約変更部７１７とを備えている。
【００２５】
テレビ番組表画面表示部７１４は、入力信号検出部７１１によりテレビ番組表表示信号が検出されると、メモリ７２内のＥＰＧ情報記録領域内に格納されたＥＰＧ情報を読取り、当該ＥＰＧ情報を含んだテレビ番組表画面形成命令を、描画処理部７５２に出力する。
テレビ番組表画面とは、ＥＰＧ情報に基づいて形成されるテレビ番組表が表示された表示画面である。テレビ番組表の一セルは、一番組に対応しており、対応する番組の番組情報を格納している。テレビ番組表上の番組は、セルごとに移動するカーソルによって選択される。
【００２６】
番組予約設定部７１５は、ユーザに対し番組予約の設定を促し、設定された番組予約の予約情報をメモリ７２内の予約情報記録領域７２１に記録する。番組予約設定部７１５は、番組予約画面表示部７１５１と、予約情報記録部７１５２とを備えている。
なお、前述したテレビ番組表画面表示部７１４、および、番組予約設定部７１５は、本発明の視聴予約設定部に相当し、このうち、テレビ番組表表示部７１４は、本発明の視聴予約番組選択部に相当する。
番組予約画面表示部７１５１は、テレビ番組表画面上の番組がカーソルにより選択されると、選択された番組の番組情報をメモリ７２内のＥＰＧ情報から読取り、当該番組情報を含めた番組予約画面形成命令を、描画処理部７５２に出力する。
【００２７】
番組予約画面とは、テレビ番組画面上で選択された番組の詳細な番組情報を表示するとともに、当該番組の番組予約の選択および設定をユーザに促す表示画面である。本実施形態のテレビジョン装置１は、番組予約として、視聴予約、録画予約および自動電源オン予約の機能を備えている。
なお、視聴予約とは、電源オン状態のテレビジョン装置１において、視聴予約された番組（視聴予約番組）の開始時間になると、視聴予約番組のチャンネルに自動的に切替える機能である。さらに、自動電源オン予約とは、自動電源オン予約された番組（電源オン予約番組）の開始時間になると、テレビジョン装置１の電源を自動的に投入し、さらに、電源オン予約番組のチャンネルに自動的に切替える機能である。
【００２８】
予約情報記録部７１５２は、番組予約画面上で上記いずれかの番組予約がユーザにより選択されると、選択された番組予約の種別に応じて、予約番組の予約情報をメモリ７２内の予約情報記録領域７２１に記録する。
例えば、番組予約画面上で視聴予約が選択されると、予約情報記録部７１５２は、当該番組予約画面上に表示されていた番組を、視聴予約番組として特定する。次に、予約情報記録部７１５２は、当該視聴予約番組の時間情報（放送開始時間および放送終了時間）およびチャンネル情報を、メモリ７２内のＥＰＧ情報から読取る。そして、予約情報記録部７１５２は、読取られた時間情報およびチャンネル情報を、視聴予約情報としてメモリ７２内の予約情報記録領域７２１に記録する。すなわち、予約情報記録部７１５２は、本発明の視聴予約情報記録部に相当する。
【００２９】
番組予約実行部７１６は、メモリ７２内の予約情報記録領域７２１に記録された予約情報に基づいて、番組予約を実行する。番組予約実行部７１６は、タイマセット部７１６１と、予約制御部７１６２とを備えている。
タイマセット部７１６１は、予約情報記録領域７２１に記録されている予約情報のタイマセットを行う。タイマセットとは、予約情報記録領域７２１に記録されている予約情報を、直近順に並べて時系列リストを作成し、さらに、時系列リストの最直近の予約情報の放送開始時間に達するまで、タイマ７１２が計測する日時を監視する作業をいう。
【００３０】
予約制御部７１６２は、タイマ７１２が計測する日時が、予約情報の放送開始時間に達すると、予約情報に基づく番組予約を実行させるために、制御基板７を構成する各処理部７３〜７７に制御命令を出力する。
例えば、視聴予約情報の放送開始時間に達すると、予約制御部７１６２は、まず、予約情報記録領域７２１内の視聴予約情報を読取り、視聴予約のチャンネル情報を取得する。そして、予約制御部７１６２は、チャンネル情報を含んだ選局命令を、チューナ７３に出力する。
【００３１】
さらに、録画予約情報の放送開始時間に達すると、予約制御部７１６２は、まず、予約情報記録領域７２１内の録画予約情報を読取り、録画予約の時間情報およびチャンネル情報を取得する。そして、予約制御部７１６２は、チャンネル情報を含んだ選局命令、および、録画命令を、チューナ７３に命令する。また、録画予約の放送終了時間になると、予約制御部７１６２は、録画停止命令を、チューナ７３に出力する。
【００３２】
また、電源オン予約情報の放送時間に達すると、予約制御部７１６２は、まず、予約情報記録領域７２１内の電源オン予約情報を読取り、電源オン予約のチャンネル情報を取得する。そして、予約制御部７１６２は、電源オン命令を電源回路駆動部７７に出力すると共に、チャンネル情報を含んだ選局命令を、チューナ７３に出力する。
【００３３】
視聴予約変更部７１７は、必要に応じて、ユーザに対し視聴予約の変更を促し、ユーザにより選択された変更先に基づいて、予約情報の書換えを行う。
視聴予約変更部７１７は、予約情報判定部７１７１と、視聴予約変更画面表示部７１７２と、予約情報書換部７１７３とを備えている。
予約情報判定部７１７１は、入力信号検出部７１１により電源オフ信号が検出されると、予約情報記録領域７２１に予約情報が記録されているか否かを判定する。予約情報記録領域７２１に予約情報が記録されている場合、予約情報判定部７１７１は、予約情報を読取って、当該予約情報が視聴予約情報であるか否かを判定する。
【００３４】
予約情報が視聴予約情報であると判定された場合、視聴予約変更画面表示部７１７２は、当該視聴予約情報含めた視聴予約画面形成命令を、描画処理部７５２に出力する。
視聴予約変更画面とは、視聴予約番組の番組情報を表示するとともに、この視聴予約の変更先、すなわち、録画予約に変更するか、自動電源オン予約に変更するか、視聴予約をキャンセルするか、または、電源オフをキャンセルするかの選択を、ユーザに促す表示画面である。
【００３５】
次に、予約情報書換部７１７３は、視聴予約変更画面上でユーザにより選択される視聴予約の変更先を取得する。そして、取得された変更先に応じて、視聴予約の予約情報を、録画予約情報または自動電源オン予約情報に書き直し、予約情報記録領域７２１に記録する。なお、変更先が、視聴予約のキャンセルであった場合は、視聴予約情報を予約情報記録領域７２１から削除する。また、変更先が、電源オフのキャンセルであった場合は、予約情報書換部７１７３は、視聴予約変更画面の表示終了命令を、描画処理部７５２に出力する。
予約情報書換部７１７３は、予約情報記録領域７２１に記録されている全ての視聴予約の変更を完了すると、電源回路駆動部７７に電源オフ命令を出力する。
【００３６】
〔２．制御基板７の作用〕
制御基板７の作用について、図４〜図７を用いて説明する。
制御基板７は、リモートコントローラ３から出力される各種操作信号に応じて、番組予約設定処理、および、視聴予約変更処理を実行する。
図４は、制御基板７が実行する番組予約設定処理を説明するためのフロー図、図５は、ディスプレイ上に表示された番組予約画面８を示す模式図、図６は、制御基板７が実行する視聴予約変更処理を説明するためのフロー図、図７は、ディスプレイ上に表示された視聴予約変更画面９を示す模式図である。
【００３７】
〔2-1．番組予約設定処理〕
まず、図４および図５を用いて番組予約設定処理について説明する。
制御基板７を構成するＣＰＵ７１において、入力信号検出部７１１は、リモートコントローラ３から出力される操作信号を監視しており、テレビ番組表表示信号を検出したか否かを判定している（Ｓ１）。
テレビ番組表表示信号が検出されない場合、入力信号検出部７１１は、操作信号の監視を続行する。
一方、テレビ番組表表示信号が検出された場合、テレビ番組表画面表示部７１４は、ＥＰＧ情報記録領域（図示省略）から読取られたＥＰＧ情報とともに、テレビ番組表画面形成命令を描画処理部７５２に出力する。描画処理部７５２は、テレビ番組表画面形成命令に従って、テレビ番組表画面を形成する（Ｓ２）。
【００３８】
入力信号検出部７１１は、リモートコントローラ３から出力される操作信号を監視しており、テレビ番組表画面上の番組がカーソルにより選択されたか否かを判定している（Ｓ３）。
番組が選択されない場合、テレビ番組表画面表示部７１４は、テレビ番組表画面の表示終了命令を描画処理部７５２に出力する（Ｓ４）。
一方、番組が選択された場合、番組予約設定部７１５の番組予約画面表示部７１５１は、ＥＰＧ情報記録領域内のＥＰＧ情報から選択番組の番組情報を読取り、当該番組情報を含んだ番組予約画面形成命令を描画処理部７５２に出力する。描画処理部７５２は、番組予約画面形成命令に従って、番組予約画面を形成する（Ｓ５）。
【００３９】
ディスプレイ２１上に表示された番組予約画面８は、図５に示すように、選択番組の番組情報８１と、視聴予約ボタン８２と、録画予約ボタン８３と、自動電源オン予約ボタン８４と、戻るボタン８５とを表示している。各ボタン８２〜８５は、リモートコントローラ３から送信される操作信号によって選択される。
【００４０】
予約情報記録部７１５２は、番組予約画面８上で上述のボタン８２〜８５のうち、予約ボタン８２〜８４が選択されたか、または、戻るボタン８５が選択されたかを判定している（Ｓ６）。
戻るボタン８５が選択された場合、テレビ番組表画面表示部７１４は、テレビ番組表画面形成命令を描画処理部７５２に出力する。描画処理部７５２は、テレビ番組表画面形成命令に従って、テレビ番組表画面を形成する（Ｓ７）。
【００４１】
一方、予約ボタン８２〜８４が選択された場合、予約情報記録部７１５２は、選択された番組予約の種別に基づいて、予約番組の予約情報を、ＥＰＧ情報記録領域内のＥＰＧ情報から取得する（Ｓ８）。
次に、予約情報記録部７１５２は、取得された予約番組の予約情報を、メモリ７２内の予約情報記録領域７２１に記録する（Ｓ９）。
【００４２】
〔2-2．視聴予約変更処理〕
次に、図６および図７を用いて視聴予約変更処理について説明する。
ＣＰＵ７１において、入力信号検出部７１１は、リモートコントローラ３から出力される操作信号を監視しており、電源オフ信号を検出したか否かを判定している（ＳＡ１）。
電源オフ信号が検出されない場合、入力信号検出部７１１は、操作信号の監視を続行する。
【００４３】
一方、電源オフ信号が検出された場合、視聴予約変更部７１７の予約情報判定部７１７１は、メモリ７２内の予約情報記録領域７２１を探索し、予約情報記録領域７２１に番組予約の予約情報が記録されているか否かを判定する（ＳＡ２）。
予約情報記録領域７２１に予約情報が記録されていない場合、予約情報判定部７１７１は、電源オフ命令を電源回路駆動部７７に出力する。すると、電源回路駆動部７７は、電源オフ命令に従って電源回路６を駆動し、テレビジョン装置１の電源を消灯する（ＳＡ１５）。
【００４４】
一方、予約情報記録領域７２１に予約情報が記録されている場合、予約情報判定部７１７１は、記録されている予約情報を読取り（ＳＡ３）、当該予約情報が視聴予約情報であるか否かを判定する（ＳＡ４）。
読取られた予約情報が視聴予約情報ではない場合、予約情報判定部７１７１は、後述する処理ＳＡ１３を実行する。
【００４５】
一方、読取られた予約情報が視聴予約情報である場合、視聴予約変更画面表示部７１７２は、当該視聴予約情報を含んだ視聴予約変更画面形成命令を、描画処理部７５２に出力する。描画処理部７５２は、視聴予約変更画面形成命令に従って、視聴予約変更画面を形成する（ＳＡ５）。
【００４６】
視聴予約変更画面９には、図７に示すように、視聴予約番組の番組情報９１と、録画予約ボタン９２と、自動電源オン予約ボタン９３と、予約キャンセルボタン９４と、電源オフキャンセルボタン９５とが表示されている。各ボタン９２〜９５は、リモートコントローラ３から送信される操作信号によって選択される。
【００４７】
予約情報書換部７１７３は、信号入力手段７１１により検出される操作信号に基づいて、視聴予約変更画面９上で録画予約ボタン９２が選択されたか否かを判定する（ＳＡ６）。
録画予約ボタン９２が実行されると、予約情報書換部７１７３は、視聴予約情報を録画予約情報に書き換えて、メモリ７２内の予約情報記録領域７２１に記録する（ＳＡ７）。
一方、録画予約ボタン９２が選択されない場合、予約情報書換部７１７３は、前記操作信号に基づいて、視聴予約変更画面９上で自動電源オン予約ボタン９３が実行されたか否かを判定する（ＳＡ８）。
自動電源オン予約ボタン９３が実行されると、予約情報書換部７１７３は、視聴予約情報を自動電源オン予約情報に書換えて、予約情報記録領域７２１に記録する（ＳＡ９）。
【００４８】
一方、自動電源オン予約ボタン９３が実行されない場合、予約情報書換部７１７３は、前記操作信号に基づいて、視聴予約変更画面９上で予約キャンセルボタン９４が実行されたか否かを判定する（ＳＡ１０）。
予約キャンセルボタン９４が実行されると、予約情報書換部７１７３は、予約情報記録領域７２１から視聴予約情報を削除する（ＳＡ１１）。
予約キャンセルボタン９４が実行されない場合、予約情報書換部７１７３は、前記操作信号に基づいて電源オフキャンセルボタン９５が選択されたと判定し、視聴予約変更画面の表示終了命令を、描画処理部７５２に出力する（ＳＡ１２）。
【００４９】
処理ＳＡ１３において、予約情報判定部７１７１は、予約情報記録領域７２１に次の予約情報が記録されているか否かを判定する。
予約情報記録領域７２１に次の予約情報が記録されている場合、予約情報判定部７１７１は、処理ＳＡ３を実行する。
一方、予約情報記録領域７２１に次の予約情報が記録されていない場合、番組予約実行部７１６のタイマセット部７１６１は、予約情報記録領域７２１に記録されている予約情報の時系列リストを作成し、タイマセットを実行する（ＳＡ１４）。
そして、予約情報書換部７１７３は、電源オフ命令を電源回路駆動部７７に出力する。すると、電源回路駆動部７７は、電源オフ命令に従って電源回路６を駆動し、テレビジョン装置１の電源を消灯する（ＳＡ１５）。
【００５０】
本実施形態によれば、テレビジョン装置１の電源オフ時に、視聴予約変更部７１７が、番組予約設定部７１５により予め設定されていた視聴予約を、キャンセルするか、または、録画予約に変更するかの選択をユーザに促す。
すなわち、ユーザが、視聴予約を失念してテレビジョン装置１の電源を落とそうとしても、視聴予約の設定をユーザに気づかせることができる。さらに、視聴予約の変更先の選択をユーザに促すことによって、視聴予約番組の視聴方法を、ユーザの希望に合わせることができる。例えば、ユーザが、視聴予約番組をリアルタイムで視聴できない場合、視聴予約変更部７１７により視聴予約を録画予約に変更させることで、視聴予約番組は、録画装置４により録画される。従って、ユーザは、視聴予約番組を見逃さずに済む。
さらに、本実施形態によれば、複数の視聴予約が設定されている場合でも、視聴予約の設定を携帯電話等の情報通信でユーザに知らせるのではなく、テレビジョン装置１の電源オフ時にまとめて知らせることができるので、ユーザの手間を低減させることができる。
【００５１】
そして、本実施形態によれば、チューナ７３により受信されたＥＰＧ情報を用いて、予約番組の選択および設定が行われる。すなわち、テレビ番組表画面表示部７１４は、ＥＰＧ情報に基づくテレビ番組表画面を画像表示手段５に表示させ、ユーザに対し番組の選択を促す。そして、ユーザにより番組が選択されると、予約情報記録部７１５２は、ユーザにより選択された番組の時間情報およびチャンネル情報を、メモリ７２内のＥＰＧ情報から取得し、予約情報として予約情報記録領域７２１に記録する。
このことから、視聴予約情報に含まれる時間情報およびチャンネル情報を、ユーザが手入力する必要がない。従って、視聴予約設定時のユーザの手間を低減させるとともに、視聴予約情報の設定ミス等を防ぐことができる。
【００５２】
〔３．前記実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
本発明では、テレビジョン装置１として、リアプロジェクタ、プラズマテレビ、液晶テレビ、および、ＣＲＴ（Cathode Ray Tube）方式テレビ等が挙げられる。すなわち、画像表示手段５として、液晶パネル、または、デジタル・マイクロミラー・デバイス（テキサスインスツルメント社商標）、ＰＤＰ（Plasma Display Panel）等を備える電気光学装置、および、ＣＲＴディスプレイ等が挙げられる。
【００５３】
本発明では、ＥＰＧ情報は、テレビジョン放送信号の隙間を使って搬送されるもの、インターネット回線を介して搬送されるもの、および、データ放送信号に含まれて搬送されるもの等が考えられる。
前記実施形態では、録画装置４を、テレビジョン装置１に電気的に接続された外部機器としたが、本発明では、テレビジョン装置１に内蔵されるものであってもよい。
前記実施形態では、録画用Ｉ／Ｆ７９は、ＩＥＥＥ１９３４バスＢ１を介して録画装置４と通信を行うとしたが、本発明では、テレビジョン装置１および録画装置４専用のケーブル等を用いて通信を行ってもよい。
【００５４】
前記実施形態では、図７に示す視聴予約変更画面７は、ディスプレイ２１と同サイズとし、テレビジョン画面から完全に切り替わって表示されるものとしたが、本発明では、視聴予約変更画面７は、ディスプレイ２１よりも小さいサイズとし、テレビジョン画面上に重畳表示されるものであってもよい。
前記実施形態では、番組予約の設定は、予約番組の予約情報をＥＰＧ情報から読取り記録するとした。しかし、本発明では、予約情報は、ＥＰＧ情報から読取られるのではなく、リモートコントローラ３を介したユーザの手入力によって、予約番組の時間情報およびチャンネル情報が設定されるものであってもよい。すなわち、本発明のテレビジョン装置１は、ＥＰＧ情処理部７６を備えていなくてもよい。
【００５５】
前記実施形態では、自動電源オン予約機能を、設定された時間に自動的にテレビジョン装置１の電源が投入され、かつ、設定されたチャンネルに自動的に切替えられる機能とした。しかし、本発明では、自動電源オン予約機能を、設定された時間に自動的にテレビジョン装置１の電源が投入されるのみの機能としてもよい。
また、本発明では、視聴予約変更画面９（図７）において、視聴予約変更画面表示部７１７２が提示する視聴予約の変更先は、前記実施形態に示した変更先に限定されるものではない。例えば、変更先として視聴予約の続行、すなわち、視聴予約の変更を行わない対応も考えられる。
【産業上の利用可能性】
【００５６】
本発明は、テレビジョン装置に利用することができる。
【図面の簡単な説明】
【００５７】
【図１】本発明の一実施形態に係るテレビジョン装置および録画装置を示す概略図。
【図２】前記実施形態に係るテレビジョン装置の内部構成を示すブロック図。
【図３】前記実施形態に係るＣＰＵの機能的構成を示すブロック図。
【図４】前記実施形態に係る番組予約設定処理を説明するためのフロー図。
【図５】前記実施形態に係る番組予約画面を示す模式図。
【図６】前記実施形態に係る視聴予約変更処理を説明するためのフロー図。
【図７】前記実施形態に係る視聴予約変更画面を示す模式図。
【符号の説明】
【００５８】
１…テレビジョン装置、４…録画装置、５…画像表示手段、７…制御基板（制御手段）、７１１…入力信号検出部（電源オフ検出部）、７１４…テレビ番組表画面表示部（視聴予約番組選択部）、７１５２…予約情報記録部（視聴予約情報記録部）、７１７…視聴予約変更部、７３…チューナ（受信手段、電子番組表受信手段）
【図１】
2007027850.tif 000003
【図２】
2007027850.tif 000004
【図３】
2007027850.tif 000005
【図４】
2007027850.tif 000006
【図５】
2007027850.tif 000007
【図６】
2007027850.tif 000008
【図７】
2007027850.tif 000009